(57)【特許請求の範囲】
【請求項１】
外部の機器との間で無線信号を介して通信するアンテナの感度を調整する感度調整装置であって、
前記アンテナが配置される円板状のアンテナ支持体と、
前記アンテナ支持体を移動させるアンテナ移動手段と、
前記アンテナの移動範囲の一部を覆うように設けられ、電波の透過を妨げる電波遮蔽部材と、
を有し、
前記アンテナ移動手段により前記アンテナ支持体を移動させて、前記アンテナと前記電波遮蔽部材との位置関係を変更することにより、前記アンテナの電波送受信感度を調整することを特徴とする感度調整装置。
【請求項２】
前記アンテナの前記電波遮蔽部材により被覆されていない部分を露出する開口部が設けられていることを特徴とする請求項１に記載の感度調整装置。
【請求項３】
前記アンテナ移動手段は、前記アンテナ支持体を、その円中心を回転中心として回転させることにより前記アンテナを移動させるものであることを特徴とする請求項１又は請求項２に記載の感度調整装置。
【請求項４】
請求項１から請求項３のいずれか一項に記載の感度調整装置と、
前記感度調整装置により通信の感度が調整されるアンテナと、
を備えていることを特徴とする電波通信機器。
【発明の詳細な説明】
【技術分野】
【０００１】
本発明は、感度調整装置及びこれを適用した電波通信機器に関するものである。
【背景技術】
【０００２】
近年、無線通信機能を備える腕時計等の電子機器間において、無線方式によってデータのやり取りをしたり、情報の同期を取る等、各種データの送信や受信（すなわち通信）を行う手法が浸透しつつある。
こうした無線信号を介して通信されるデータには個人情報も多く含まれる可能性がある。このため、個人のプライバシー等を保護するためにも、データの通信は特定の電子機器から特定の電子機器に対して正確に行われる必要がある。
【０００３】
しかし、身の回りに複数の電子機器がある場合、他の電子機器との干渉が起こって目的の電子機器との間で正確に無線通信を行うことができないおそれがある。特にBluetooth（登録商標）など波長の長い電波を取り扱う際には、障害物等に強く電波が遮断されにくいという性質があるために、他の電子機器との干渉を起こしやすい。
【０００４】
従来、無線通信システムにおいて、他の電子機器との干渉を避けて、通信を行いたい電子機器同士を適切にペアリング（すなわち、初期の認識作業）する方法として、ペアリングしたい電子機器（電子デバイス）を互いに近傍となる位置に配置するとともに、一方の電子機器から、無線通信システムにおける標準の信号出力電力レベルよりも小さい電力レベルに制限された問い合わせ信号を送信し、他方の電子機器がこの問い合わせ信号を検出すると、これに対する応答信号を送信する。そして、当該電子機器が問い合わせ信号に応答する最初の電子機器であることに基づいて、双方の電子機器間で、ポイントツーポイント接続を開始するという手法が提案されている（例えば、特許文献１参照）。
【０００５】
このような手法でペアリングを行った場合には、他の電子機器との干渉を避けて目的とする電子機器間でのみ通信を成立させ、適切にペアリングを行うことができる。
【先行技術文献】
【特許文献】
【０００６】
【特許文献１】特表２００７−５３６８５２号公報
【発明の概要】
【発明が解決しようとする課題】
【０００７】
しかしながら、電子機器間でデータの通信を行う目的は様々であり、ペアリングを行う場合のように電子機器同士を接触させる程度に近接させて通信を行う場合の他、例えばユーザ自身が身に着けている携帯端末装置と腕時計等の電子機器との間で各種データの通信を行う場合のように多少離れた位置にある電子機器間でデータの通信を行う場合や、ユーザが手元から離してしまった電子機器の所在を捜索する場合のようにある程度離れた場所にあると想定される電子機器との間で通信を行う必要がある場合もある。
【０００８】
このため、電子機器間でデータの通信を行う際の電波の通信感度は、その目的・用途・状況等に応じて適宜切り替えられることが求められる。
【０００９】
この点、携帯電話やパーソナルコンピュータ（personal computer）等では、受信回路等、通信関連モジュールにおいて通信感度の切り替えを行っている。
しかし、通信関連モジュールにおいて通信感度の切り替えを行う場合、通信関連モジュールの制御構成が複雑化する等の問題がある。
【００１０】
本発明は以上のような事情に鑑みてなされたものであり、簡易な機構により、用途に応じた感度となるようにアンテナの通信感度を調整することのできる感度調整装置及びこれを適用した電波通信機器を提供することを目的とするものである。
【課題を解決するための手段】
【００１１】
前記課題を解決するために、本発明に係る感度調整装置は、
外部の機器との間で無線信号を介して通信するアンテナの感度を調整する感度調整装置であって、前記アンテナが配置される板状のアンテナ支持体と、前記アンテナ支持体を移動させるアンテナ移動手段と、前記アンテナの移動範囲の一部を覆うように設けられ、電波の透過を妨げる電波遮蔽部材と、を有し、前記アンテナ移動手段により前記アンテナ支持体を移動させて、前記アンテナと前記電波遮蔽部材との位置関係を変更することにより、前記アンテナの電波送受信感度を調整することを特徴としている。
【発明の効果】
【００１２】
本発明によれば、アンテナの電波通信感度を通信モードに適した感度に調整する手法としてアンテナを移動させて遮蔽部により覆われるアンテナの被遮蔽範囲を調整するという機械的な構成をとっているため、受信回路等、通信関連モジュールにおいて通信感度の切り替えを行う場合と比較して、アンテナの電波通信感度の調整にかかる電力消費量を抑えることができるという効果を奏する。
【図面の簡単な説明】
【００１３】
【図１】本実施形態における感度調整装置を適用した腕時計の正面図である。
【図２】図１の腕時計におけるII−II線断面図である。
【図３】図２におけるアンテナ周辺を拡大した要部断面図である。
【図４】アンテナ及びその周囲に配置された電波規制部材を示す斜視図である。
【図５】竜頭とアンテナ支持体との関係を示す要部斜視図である。
【図６】（Ａ）は、アンテナが完全に遮蔽された状態となる場合の感度調整部材とアンテナとの位置関係を示した平面図であり、（Ｂ）は、アンテナの感度が最も低い状態となる場合の感度調整部材とアンテナとの位置関係を示した平面図であり、（Ｃ）は、アンテナの感度が中程度の状態となる場合の感度調整部材とアンテナとの位置関係を示した平面図であり、（Ｄ）は、アンテナの感度が最も高い状態となる場合の感度調整部材とアンテナとの位置関係を示した平面図である。
【発明を実施するための形態】
【００１４】
以下、図１から図６を参照しつつ、本発明に係る感度調整装置及びこれを備える電波通信機器の好適な実施形態について説明する。なお、以下では、本発明に係る感度調整装置を電波通信機器としての機能を備える腕時計に適用した場合について説明するが、感度調整装置を適用可能な実施形態はこれに限定されるものではない。
【００１５】
図１は、本実施形態に係る腕時計の正面図であり、図２は、図１におけるII−II線に沿う断面図である。
本実施形態に係る腕時計１００は、電気的な駆動により図示しない指針（秒針、分針、時針）を回転させて時刻を表示するものである。
【００１６】
この腕時計１００は、中空の短柱形状に形成された外装ケース１を備えている。本実施形態において外装ケース１は、例えばステンレス、チタニウム等の金属材料によって形成されている。なお、外装ケース１は、金属材料で形成されているものに限定されず、例えば樹脂等により形成されているものであってもよい。
【００１７】
この外装ケース１の上下両端部（図１において上下端部）、つまり時計の１２時方向側端部及び６時方向側端部には、時計バンド（図示せず）が取り付けられるバンド取付部１１が形成されている。
また、外装ケース１は、表面側（図２において上側）の開口部と、裏面側（図２において下側）の開口部とを有している。そして、外装ケース１の表面側の開口部には、透明なガラス等の材料で形成された図示しない風防部材が防水リング等を介して表面側の開口部を閉塞するように取り付けられている。一方、外装ケース１の裏面側の開口部には、図示しない裏蓋部材が防水リング等を介して裏面側の開口部を閉塞するように取り付けられている。
【００１８】
外装ケース１の側部であって腕時計１００における４時方向の位置には、腕時計１００についての各種操作を行う操作釦３が設けられている。
また、外装ケース１の側面であって腕時計１００における３時方向の位置には、外装ケース１の内部に貫通する貫通孔１２（図２参照）が形成されている。
なお、本実施形態では、操作釦３が腕時計１００における４時方向の位置に設けられ、貫通孔１２が腕時計１００における３時方向の側面に形成されている場合を例としているが、操作釦３及び貫通孔１２が設けられる位置はこれに限定されない。例えば貫通孔１２が９時方向の位置や４時方向の位置に設けられていてもよい。
【００１９】
図２に示すように、貫通孔１２には、中空の筒状部材１３が外装ケース１の外部から内部に挿通されている。筒状部材１３の一端には、貫通孔１２の内径よりも大きい外径を有するフランジ部１３１が形成されており、筒状部材１３を貫通孔１２内に挿入した際にこのフランジ部１３１が外装ケース１の外側に突出するようになっている。
フランジ部１３１のフランジ部１３１の内周面に沿って周溝が形成されている。この周溝内には、Ｏリング等のリング状の封止部材であるシールリング１４が嵌め込まれている。シールリング１４は、例えば各種の樹脂等で形成されている。なお、シールリング１４を形成する材料はこれに限定されない。また、周溝及びシールリング１４は、筒状部材１３の軸方向のどこかに設けられていればよく、その位置等は特に限定されない。
【００２０】
外装ケース１の側部であって貫通孔１２の設けられている側には、この外装ケース１の側面において内外を貫通して設けられるとともに、後述するアンテナ支持体７を回転させる回転操作部である竜頭２が設けられている。
本実施形態において、竜頭２は、アンテナ８を移動させて遮蔽部（本実施形態では後述する磁性シート５２）及び開放部（本実施形態では後述する開口部５１）に対するアンテナ８の位置を変更し、遮蔽部（磁性シート５２）により遮蔽されるアンテナ８の被遮蔽範囲を調整することにより、アンテナ８の感度を調整するアンテナ移動手段として機能する。
竜頭２は、軸部材２１と、この軸部材２１の一端側に形成され、筒状部材１３の内径よりも大きな径を有する竜頭トップ２２とを備えている。
【００２１】
軸部材２１は、筒状部材１３を介して貫通孔１２に挿入され、外装ケース１の外部から内部に挿通するものである。軸部材２１は、外径が貫通孔１２内の筒状部材１３の内径とほぼ等しく形成されており、軸部材２１の外周面はフランジ部１３１の周溝内に設けられているシールリング１４と密着する。
竜頭２を回転操作した際には、軸部材２１は、その外周面がシールリング１４に密着しながら周方向に摺動する。これにより、軸部材２１と外装ケース１の筒状部材１３との間の気密性が確保されるようになっている。
【００２２】
また、竜頭トップ２２の内側（すなわち、外装ケース１の側面と対向する側）には、軸部材２１の外周に沿って溝部２２１が形成されており、筒状部材１３のフランジ部１３１がこの溝部２２１内に収容されるようになっている。
なお、溝部２２１の奥側又はフランジ部１３１の外周面に図示しないシールリングを設けて、筒状部材１３と竜頭トップ２２との間の気密性が確保されるように構成してもよい。
【００２３】
軸部材２１の挿通側端部近傍には、後述するアンテナ支持体７を回転させるための支持体駆動歯車（ピニオン）２５（図３参照）が設けられている。支持体駆動歯車２５は、圧入等により軸部材２１に固定されている。
【００２４】
外装ケース１の内部には、ほぼ円柱形状に形成されたモジュール４が配置されている。モジュール４は、各種部品が例えば樹脂等によって形成されたハウジング（図示せず）に組み込まれたものである。なお、モジュール４の形状は円柱形状に限定されない。
モジュール４の下側には、各種電子部品を実装した回路基板４１が配置されている。
また、モジュール４内には、腕時計１００の指針６２を運針させる時計ムーブメント６が配置されている。時計ムーブメント６は、例えば図示しない駆動用のモータや輪列機構等を含んでいる。
【００２５】
モジュール４における竜頭２に対応する位置（すなわち、腕時計のほぼ３時方向にあたる位置）には、モジュール４の厚み方向（図２及び図３における上下方向）に貫通する貫通孔４２ａを有する筒状の軸支持部４２が設けられている。また、回路基板４１における軸支持部４２の貫通孔４２ａに対応する位置には回路基板４１の厚み方向（図２及び図３における上下方向）に形成された凹部４１ａが設けられている。なお、凹部４１ａは回路基板４１の厚み方向に貫通する孔部であってもよい。
凹部４１ａの底面には、回路基板４１と電気的に接触する板ばね４４が配置されている。また、貫通孔４２ａの開口部周縁にはアンテナ用端子部４５が設けられており、貫通孔４２ａの内部には、このアンテナ用端子部４５と一端側の端部が接触するコンタクト用のスプリング４６が配置されている。
【００２６】
図２及び図３に示すように、本実施形態では、モジュール４の上側（腕時計１００における表面側）であって、モジュール４の周縁部における腕時計のほぼ３時方向にあたる位置（図１における右側位置）には、ほぼ円板状のアンテナ支持体７が配置されている。
円板状のアンテナ支持体７のほぼ中心（円中心）には、回転軸７１がアンテナ支持体７に圧入等により取り付けられている。
図３に示すように、回転軸７１は、中空筒状の軸本体７１１と、この軸本体７１１のほぼ中心に、絶縁カバー７１３を介して挿入されている導体軸７１２とを備えている。導体軸７１２及び絶縁カバー７１３は、軸本体７１１よりも長く形成されており、導体軸７１２は、軸支持部４２を貫通して、その先端部が回路基板４１の凹部４１ａの底面に接するようになっている。なお、軸本体７１１、導体軸７１２及び絶縁カバー７１３は、一体の部品として形成されていることが好ましい。
回転軸７１の取付け側の端部近傍には軸側歯車（ピニオン）７２（図３参照）が設けられている。軸側歯車７２は、例えば圧入等により回転軸７１に固定されている。
【００２７】
アンテナ支持体７の回転軸７１は、貫通孔４２ａ及び凹部４１ａ内に上方から挿入されており、貫通孔４２ａ及び凹部４１ａによって支持されるようになっている。
そして、図３に示すように、回転軸７１は、軸側歯車７２の下側面が軸支持部４２の上側端面と接触する位置まで回転軸７１が挿入された状態において、導体軸７１２の先端部が凹部４１ａの底面の板ばね４４に接触する。また、このとき、軸本体７１１の先端部がスプリング４６の上側の端部（すなわちアンテナ用端子部４５と接触する側とは反対側の端部）と接触するようになっている。
【００２８】
また、回転軸７１は、軸支持部４２の貫通孔４２ａ及び回路基板４１の凹部４１ａ内に挿入され、支持されている状態において、軸本体７１１に設けられている軸側歯車７２が竜頭２の支持体駆動歯車２５と噛み合うようになっており、竜頭２を回転させることによって、回転軸７１が軸周りに回転し、アンテナ支持体７が、この回転軸７１（円中心）を回転中心として回転可能に構成されている。
【００２９】
このアンテナ支持体７の上面（図２及び図３において上側の面、腕時計１００の視認側の面）には、弧状の外縁部を有するほぼ半円形状のアンテナ８が載置されている。アンテナ８は、例えばチップ状等の小型のアンテナであり、弧状の外縁部がアンテナ支持体７の外周に沿うように配置され、接着剤や接着テープ等によりアンテナ支持体７の上面に固定されている。
なお、アンテナ８は、アンテナ支持体７の上面に貼着されている場合に限定されない。例えば、アンテナ支持体７の上面の一部に凹部を設けて、この凹部内にアンテナ８が嵌装される構成としてもよい。また、アンテナ８及びアンテナ支持体７の形状や配置、アンテナ支持体７上におけるアンテナ８の位置等はここに例示したものに限定されず、他の形状や配置であってもよい。
【００３０】
アンテナ８は、外部の機器との間で無線信号を介して通信可能なものであり、例えばBluetooth（登録商標）等の規格により通信を行う。なお、アンテナ８の通信規格、通信可能な周波数帯は、Bluetooth（登録商標）に限定されず、腕時計１００によって行われる各種通信に適したもの（すなわち、周波数等が適合するもの）が適宜適用される。また、アンテナ８は小型のものであればよく、種類、形状は特に限定されない。また、後述するように、本実施形態では、アンテナ８として、最大で５ｍ程度の範囲内に存する機器との間で信号の通信を行うことのできる電波通信感度のものを適用しているが、アンテナ８の電波通信感度はこれに限定されず、感度を最大としたときにさらに離れた機器との間で信号の通信を行うことのできるものを用いてもよい。
【００３１】
このアンテナ８は、回路基板４１上の図示しない電波通信制御回路と電気的に接続されている。
すなわち、アンテナ８の一方側の端子８１（図３において「端子８１ａ」）は、リード電極８２を介して回転軸７１の軸本体７１１と接続され、この軸本体７１１の先端部と接触するスプリング４６を介して回路基板４１上のアンテナ用端子部４５と電気的に接続されている。
また、アンテナ８の他方側の端子８１（図３において「端子８１ｂ」）は、配線８３を介して回転軸７１の導体軸７１２と接続され、導体軸７１２の先端部が板ばね４４と接触することにより、回路基板４１と電気的に接続される。
なお、本実施形態では、アンテナ８及び図示しない電波通信制御回路自体は、常に最大の電波通信感度（例えば本実施形態ではアンテナ８から５ｍ程度の範囲内で電波の通信が可能な電波通信感度）が維持されており、感度調整装置１０（図１参照）によるアンテナ８の被遮蔽範囲を変えることで電波通信感度を機械的構成により調整するようになっている。
【００３２】
外装ケース１内であって、上記モジュール４と風防部材との間には、例えば樹脂等で形成された文字板５が配置されている。なお、風防部材とモジュール４との間にはアナログ方式の文字板５の他に数字や文字等をデジタル方式で表示する液晶表示部等が設けられていてもよい。また、文字板５を形成する材料は特に限定されず、例えば金属材料等で形成されていてもよい。
図２に示すように、文字板５のほぼ中央部には貫通孔５ａが設けられており、軸部材６１が、この貫通孔を通して時計ムーブメント６の内部から外部（図２において上側）に向けて突出している。文字板５の上に突出した軸部材６１の先端部には、指針６２（本実施形態では、秒針、分針、時針）が支持されている。
また、この文字板５の上には、環状に形成された見切り部材１７が配置されており、この見切り部材１７の外側には、環状に形成され外装ケース１に嵌装されたベゼルが設けられている。
【００３３】
本実施形態において、文字板５は、アンテナ８の上方に配置され、アンテナ８を遮蔽して電波の透過を妨げる遮蔽部と電波を透過させる開放部とを備える。
すなわち、文字板５の３時方向の位置の一部分であって、アンテナ支持体７が配置されている位置に対応するほぼ円形の部分は、感度調整部５０（図１において一点鎖線で示す）となっている。この感度調整部５０のほぼ半分（本実施形態では、図１に示すように、文字板５の外周側の半分）には、ほぼ半円形状の開口部５１が形成されており、この開口部５１が電波を透過させる開放部となる。
また、文字板５における感度調整部５０の裏面側であって、開口部５１が設けられていない部分（本実施形態では、図１に示すように、文字板５の中央側の半分）には、ほぼ半円形状の磁性シート５２が貼着されており、この磁性シート５２がアンテナ８を遮蔽して電波の透過を妨げる電波遮蔽部材となる。磁性シート５２は、例えばフェライト等の磁性材料や磁性粉を含有する材料をシート状に加工した磁性体である。
磁性シート５２は、アンテナ８に入射しようとする電波を磁性材料の磁気損失により吸収して電波の透過を妨げるようになっている。
【００３４】
また、文字板５の裏面側であって感度調整部５０の周縁部には、リング状の電波規制部材５３が設けられている。電波規制部材５３は、例えばフェライト等の磁性材料や磁性粉を含有する材料等、電波の透過を妨げる電波遮蔽材料で形成されており、アンテナ８の周囲に配置される。
このように、電波規制部材５３をアンテナ８の周囲にアンテナ８を囲むように配置することにより、図４において太矢印で示すように、アンテナ８に入射する電波の入射方向を上方向（図４等の上方向、腕時計１００の視認側）に限定（規制）することができる。
なお、本実施形態では、電波規制部材５３が磁性シート５２（電波遮蔽部材）と一体的に設けられている例を図示しているが、電波規制部材５３及び磁性シート５２の構成はここに示した例に限定されない。電波規制部材５３及び磁性シート５２を別体に形成し、電波規制部材５３をアンテナ支持体７の上のアンテナ８を囲む位置に配置してもよいし、電波規制部材５３をモジュール４の上であってアンテナ支持体７及びこれに支持されたアンテナ８を囲む位置に配置してもよい。また、電波規制部材５３及び磁性シート５２を文字板５の下面に文字板５と一体的に設けてもよい。
【００３５】
図６（Ａ）から図６（Ｄ）等に示すように、アンテナ８の表面には、ほぼ半円形状のアンテナ８を放射状にほぼ３分割するように色分け等の絵柄やデザインが施されており、アンテナ８が開口部５１の下方に位置しているときには、この絵柄が開口部５１から視認できるようになっている。すなわち、アンテナ８の全体が開口部５１から露出しているときには、３分割された絵柄の全体が開口部５１から視認できる。そして、アンテナ８の位置が開口部５１の側から磁性シート５２で覆われた側へと回り込むにしたがって絵柄の一部が隠れて見えなくなり、アンテナ８の全体が磁性シート５２の下側に配置されると、開口部５１からは絵柄を視認できなくなる。
これにより、ユーザは開口部５１からの絵柄の見え具合によって、腕時計１００の視認側から目視にて容易にアンテナ８の被遮蔽範囲を確認することができる。
【００３６】
前述したように、アンテナ支持体７は、アンテナ移動手段である竜頭２を操作することにより、文字板５の感度調整部５０の下方において回転軸７１を中心として回転する（図５参照）。これにより感度調整部５０の遮蔽部を構成する磁性シート５２及び開放部を構成する開口部５１の位置が変更され、遮蔽部により覆われるアンテナ８の被遮蔽範囲を調整することができる。
このように、本実施形態では、感度調整部５０を備える文字板５とアンテナ移動手段である竜頭２とにより感度調整装置１０が構成されている。
【００３７】
アンテナ８の被遮蔽範囲の調整について、図５及び図６（Ａ）から図６（Ｄ）を参照して説明する。図６（Ａ）から図６（Ｄ）は、腕時計１００のうち、感度調整部とアンテナ８及びこれを支持するアンテナ支持体７部分だけを図示している。
【００３８】
本実施形態では、前述のように、電波規制部材５３がアンテナ８を囲むように配置され、電波のアンテナ８への入射方向が上方向に限定されている。この状態において、図５に示すように、竜頭２を回転操作して、図６（Ａ）に示すように、アンテナ８が、遮蔽部（すなわち磁性シート５２が貼付されている部分）の配置されている位置（すなわち、腕時計１００における文字板の中央側の位置）の下方に来るようにアンテナ支持体７を回転させると、アンテナ８の上方が磁性シート５２によって完全に覆われる。このため、アンテナ８に入射しようとする電波が磁性シート５２によって吸収されて、アンテナ８は電波を受信できない状態となる。
また、竜頭２を回転操作して、図６（Ｂ）に示すように、アンテナ８の左側３分の２程度（すなわち３分割された絵柄の３分の２程度）が遮蔽部（すなわち磁性シート５２が貼付されている部分）の配置されている位置（すなわち、腕時計１００における文字板の中央側の位置）の下方に来るようにアンテナ支持体７を回転させると、アンテナ８の３分の２程度が磁性シート５２によって覆われる。（すなわち、アンテナ８の被遮蔽範囲が広くなる）。このため、アンテナ８に入射しようとする電波の多くが磁性シート５２によって吸収され、アンテナ８の電波通信感度は低くなる。
また、竜頭２を回転操作して、図６（Ｃ）に示すように、アンテナ８左側３分の１程度（すなわち３分割された絵柄の３分の１程度）が遮蔽部（すなわち磁性シート５２が貼付されている部分）の配置されている位置（すなわち、腕時計１００における６時方向の位置）の下方に来るようにアンテナ支持体７を回転させると、アンテナ８の３分の１程度が磁性シート５２によって覆われ、アンテナ８の３分の２程度は開口部５１から露出する。このため（すなわち、アンテナ８の被遮蔽範囲が狭くなるため）、アンテナ８に入射しようとする電波の一部が磁性シート５２によって吸収され、アンテナ８の電波通信感度は中程度となる。
また、竜頭２を回転操作して、図６（Ｄ）に示すように、アンテナ８が開口部５１（すなわち磁性シート５２が貼付されていない開放部）の下方（すなわち、腕時計１００における３時側の位置）に来るようにアンテナ支持体７を回転させると、アンテナ８全体が開口部５１から露出し、上方を磁性シート５２によって覆われていない状態（すなわち、アンテナ８の被遮蔽範囲がない状態）となる。このため、アンテナ８に入射しようとする電波がアンテナ８に入りやすくなり、アンテナ８の電波通信感度は高くなる。
【００３９】
この他、腕時計１００は、例えば、ＣＰＵ（Central Processing Unit）、ＲＯＭ（Read Only Memory）、ＲＡＭ（Random Access Memory）、等から構成される制御部、電波の通信を制御する電波通信制御回路部、時刻補正等を行う計時回路部、発振回路部、指針を駆動させる指針駆動回路部等を備えている。これらは、一般的な腕時計に設けられているものと同様のものであるため、図示及び説明を省略する。
【００４０】
次に、本実施形態における感度調整装置１０及び電波通信機器である腕時計１００の作用について説明する。
【００４１】
本実施形態において、腕時計１００は、感度調整装置１０によってアンテナ８の被遮蔽範囲を調整することにより、アンテナ８の電波通信感度を調整できるようになっている。
すなわち、腕時計１００は、異なる電波通信感度の下で実現される複数の通信モード（本実施形態では後述する「ペアリングモード」「データ同期モード」「端末捜索モード／忘れ物防止モード」）を実現可能となっており、感度調整装置１０は、これら各通信モードに適した電波通信感度となるようにアンテナ８の被遮蔽範囲を調整する。
なお、通信モードの種類はこれに限定されない。「データ同期モード」「端末捜索モード／忘れ物防止モード」のうちいずれか１つのみを有するものであってもよいし、これら３つの通信モード以外の通信モードを実現可能となっていてもよい。
【００４２】
このうち、ペアリングモードは、例えばユーザが腕時計１００と新たな端末装置（例えば友人の端末装置等）との間で新たにペアリングを成立させ（すなわち、端末装置間において相互に関連付けを行う初期の登録作業を行い）、データの通信等ができる状態にするための通信モードである。例えば腕時計１００と新たな端末装置である友人の携帯電話との間でペアリングを行う場合には、腕時計１００からペアリングしたい端末装置に対して問合せ信号を送信し、送信先の端末装置からこの問合せ信号に対する応答信号が腕時計１００に送信され、腕時計１００のアンテナ８がこの応答信号を受信して制御部に送ると、腕時計１００と当該端末装置との間でペアリングが成立する。
【００４３】
ペアリングを行う際には、周囲に存する他の端末装置との間で予期せぬペアリングが成立することのないように、腕時計１００と端末装置とが接触又はそれに近い距離まで接近した場合にのみ電波の通信が可能な程度までアンテナ８の電波通信感度が低くなるように調整することが好ましい。
このため、本実施形態では、ペアリングモードで通信を行う場合には、アンテナ８ほぼ３分の２程度が文字板５の感度調整部５０の遮蔽部である磁性シート５２が貼付されている部分の下方に位置するようにアンテナ支持体７を回転させ、アンテナ８の電波通信感度が低くなるように調整する。
具体的には、ユーザが竜頭２を回転操作することにより、アンテナ８のほぼ３分の２程度が、磁性シート５２の下方に位置するまでアンテナ支持体７を回転させ、遮蔽部（磁性シート５２が貼付されている部分）がアンテナ８のほぼ３分の２程度を覆う位置にくるように調整する（図６（Ｂ）参照）。このとき、ユーザは、開口部５１から露出するアンテナ８の表面の絵柄を確認することにより、所望の感度となる位置までアンテナ８が移動したか否かを目視にて容易に確認することができる。
この状態で、ユーザがペアリングの対象となる端末装置を腕時計１００に接触又は１０ｃｍ程度の距離まで近接させると、腕時計１００のアンテナ８からペアリングのための問合せ信号（例えば腕時計１００の個体識別番号等を含む信号）が送信され、この問合せ信号を受信可能な距離にある端末装置のみが当該信号を受信する。問合せ信号を受信した端末装置は応答信号（例えば当該端末装置の個体識別番号等を含む信号）を腕時計１００に返信し、腕時計１００のアンテナ８がこの応答信号を受信すると、当該応答信号が制御部に送られ、制御部は当該端末装置を以後腕時計１００との間でデータの通信が可能な端末装置として登録する。これによりペアリング（端末装置間の初期登録作業）が完了する。
【００４４】
なお、ペアリングが成立したか否かは、文字板５上での指針や液晶表示部等におけるその旨の表示、図示しないライトの点滅、アラーム音等によりユーザに報知されるようにすることが好ましい。
また、アンテナ８の電波通信感度の低い状態（すなわち、磁性シート５２がアンテナ８の上方、３分の２程度を覆っている状態）では目的の端末装置との間で適切にペアリングを成立させることができなかった場合（すなわち、ペアリングが成立していない旨の表示等がされた場合）には、ユーザが竜頭２を回転操作して、開口部５１から露出するアンテナ８の表面の絵柄部分が広くなる位置（例えば絵柄の３分２程度が開口部５１から露出する位置）までアンテナ支持体７を回転させ、開口部５１から露出するアンテナ８の範囲を広くするように調整した上で、再度ペアリングを試みるようにしてもよい。
【００４５】
これに対して、データ同期モードは、例えば既に腕時計１００との間でペアリングが成立している端末装置であって、ユーザが身につけている端末装置等（例えば、ユーザの所持している図示しない携帯電話）、腕時計１００の比較的近距離（例えばアンテナ８からの距離が１〜２ｍ程度の範囲内）に位置する端末装置との間でデータの同期を図ることを想定した通信モードである。
【００４６】
データ同期モードで通信を行う場合には、腕時計１００と端末装置とが比較的近距離に接近している場合にのみ電波の通信が可能となるようにアンテナ８の電波通信感度が中程度となるように調整することが好ましい。
このため、本実施形態では、データ同期モードで通信を行う場合には、アンテナ８の３分の１程度が、文字板５の感度調整部５０の遮蔽部である磁性シート５２が貼付されている部分の下方に位置するまでアンテナ支持体７を回転させ、アンテナ８の電波通信感度が中程度となるように調整する。
具体的には、ユーザが竜頭２を回転操作することにより、アンテナ８のほぼ３分の１程度が磁性シート５２の下方に位置するまでアンテナ支持体７を回転させ、遮蔽部（磁性シート５２が貼付されている部分）がアンテナ８のほぼ３分の１程度を覆う位置にくるように調整する（図６（Ｃ）参照）。この場合も、ユーザは、開口部５１から露出するアンテナ８の表面の絵柄を確認することにより、所望の感度となる位置までアンテナ８が移動したか否かを目視にて容易に確認することができる。
これにより、腕時計１００は、アンテナ８が多少離れた距離にある端末装置との間で電波を通信することのできる状態となり、例えばユーザが身に付けている携帯電話等との間でデータの通信を行うことにより、相互のデータを同期させることができる。
【００４７】
また、端末捜索モードは、例えばユーザが腕時計１００との間でペアリング済みである自己又は友人の端末装置等の場所を捜索する場合を想定した通信モードであり、忘れ物防止モードは、例えばユーザが腕時計１００との間でペアリング済みである自分の端末装置から所定の距離（例えば５ｍ程度）以上離れたときに、ブザー等により警告を発することを想定した通信モードである。
【００４８】
これらはいずれも、既に腕時計１００との間でペアリングが成立している端末装置との間で行われる通信であり、離れた距離にある端末装置との間で通信を行うことを予定している。
このため、本実施形態では、端末捜索モードや忘れ物防止モードで通信を行う場合には、アンテナ８全体が文字板５の開口部５１から露出する位置に来るようにアンテナ支持体７を回転させ、アンテナ８の電波通信感度が最も高くなるように調整する。
具体的には、ユーザが竜頭２を回転操作することにより、アンテナ８の表面の絵柄全体が開口部５１から露出して視認できる状態となるまでアンテナ支持体７を回転させ、アンテナ８全体が、開口部５１（磁性シート５２が貼付されていない部分）の下方位置にくるように調整する（図６（Ｄ）参照）。
これにより、例えば端末捜索モードであれば、腕時計１００から５ｍ程度の範囲内に存するペアリング済みの端末装置に対して、腕時計１００のアンテナ８から応答を要求する信号が送信され、端末装置がこの信号を受信して応答信号を腕時計１００に送信すると、その旨がブザー等の音やライトの点滅等によりユーザに報知される。また、例えば忘れ物防止モードであれば、腕時計１００のアンテナ８からペアリング済みの端末装置に対して応答を要求する信号が送信され、端末装置はこの信号を受信して応答信号を腕時計１００に送信する。そして、端末装置からの応答信号が受信できなくなると、腕時計１００の制御部は端末装置が所定の距離（本実施形態ではアンテナ８の電波通信可能な範囲である５ｍ）以上ユーザから離間したと判断して、その旨をブザー等の音やライトの点滅等によりユーザに報知する。
【００４９】
また、アンテナ８によって、何らのデータの送受信も受け付けたくない場合には、ユーザが竜頭２を回転操作することにより、アンテナ支持体７を回転させて、アンテナ８全体が、遮蔽部（磁性シート５２が貼付されている部分）の下方に位置にくるように調整する（図６（Ａ）参照）。
これにより、アンテナ８に入射しようとする電波が全て遮蔽されて、通信を行うことができない状態となる。
【００５０】
以上のように、本実施形態によれば、異なる電波通信感度の下で実現される複数の通信モード（例えばペアリングモード、データ同期モード、端末捜索モード／忘れ物防止モード）を実現可能であるため、ユーザの目的・用途に応じた各種の通信を行うことができる。
そして、アンテナ８の電波通信感度をこれらの通信モードに適した感度に調整する手法としてアンテナ支持体７を回転させて遮蔽部により覆われるアンテナ８の被遮蔽範囲を調整するという機械的な構成をとっているため、電波受信回路等、通信関連モジュールにおいて電波通信感度の切り替えを行う場合と比較して、アンテナ８の電波通信感度の調整にかかる電力消費量を抑えることができる。
また、腕時計１００の場合、小型・軽量化が求められ、大型のバッテリを収容するスペースを確保することが難しいが、本実施形態における腕時計１００は、アンテナ８の上方に配置される感度調整部５０を有する文字板５と、アンテナ支持体７に支持されたアンテナ８を回転移動させるアンテナ移動手段としての竜頭２とにより構成される感度調整装置１０を備えており、機械的な構成によりアンテナ８の電波通信感度を調整することができる。このため、通信関連モジュールにおいて電波通信感度の切り替えを行う場合と比較して電力消費量を抑えることができ、大型のバッテリ等を備える必要がないため、装置の小型・軽量化を図ることができる。
また、アンテナ８を支持するアンテナ支持体７を回転させることにより、文字板５に設けられている遮蔽部及び開口部５１とアンテナ８との位置を調整し、アンテナ８の電波通信感度を調整することができるため、新たに電波通信感度を調整するための部材を設けることなく通信モードに適した感度の調整を行うことが可能であり、装置構成の簡易化、小型・軽量化を実現することができる。
また、遮蔽部は、文字板５の裏面側に磁性体である磁性シート５２を貼付することにより構成されているため、既存の規格の文字板５を容易に流用することができ、生産コストを低く抑えることが可能である。
また、アンテナ８の周囲に電波遮蔽材料で形成された電波規制部材５３を配置しているため、アンテナ８に入射する電波の入射方向を上方向（腕時計１００の視認側）に限定することができ、感度調整装置１０によるアンテナの通信感度の調整をより効果的に行うことができる。
【００５１】
なお、以上本発明の実施形態について説明したが、本発明は、上記各実施形態に限定されず、その要旨を逸脱しない範囲で、種々変形が可能であることは言うまでもない。
【００５２】
例えば、本実施形態では、遮蔽部が文字板５の裏面に貼付された磁性シート５２である場合について説明したが、遮蔽部は磁性シート５２のようなシート状のもので構成される場合に限定されない。例えば、文字板５の感度調整部５０の一部に磁性体を埋め込むことにより遮蔽部を形成してもよい。
【００５３】
また、本実施形態では、文字板５において、磁性体である磁性シート５２が貼付されている部分が遮蔽部となり、磁性シート５２が貼付されていない開口部５１が開放部となる場合について説明したが、遮蔽部及び開放部の構成はこれに限定されない。
例えば、文字板５全体を磁性体で形成し、開口部５１以外の部分はすべて遮蔽部としてもよい。また、文字板５全体を磁性体で形成した場合には、遮蔽部と開放部とを、文字板５の厚みを変えることで構成してもよい。すなわち、この場合には厚みの厚い部分を遮蔽部とし、厚みの薄い部分を開放部とする。
【００５４】
本実施形態では、文字板５の一部を感度調整部５０とし、文字板５の裏面であって、腕時計１００における３時側の位置の一部に磁性シート５２が配置されている場合を例として示したが、磁性シート５２が設けられる範囲はこれに限定されず、さらに広い範囲に磁性シート５２が配置されていてもよい。
また、文字板５自体を磁性体等、電波の透過を妨げる材料で形成した場合には、別途磁性シート５２を設ける必要がない。
また、本実施形態では、文字板５と磁性シート５２及び電波規制部材５３が別体となっている場合を例としたが、文字板５自体が磁性体等で形成されている場合には、文字板５と電波規制部材５３とが一体成型されていてもよい。
【００５５】
また、本実施形態では、遮蔽部に磁性体である磁性シート５２を配置して、磁性材料の磁気損失により電波を吸収することによって電波の透過を妨げる場合について説明したが、遮蔽部は電波の透過を妨げることができるものであればよく、その構成は磁気損失により電波を吸収するものに限定されない。
【００５６】
また、本実施形態では、アンテナ８の表面に感度の指標となる絵柄を設けて、開放部である開口部５１からこの絵柄を視認できるようにすることで、ユーザが容易にアンテナ８の感度の状態を確認できるように構成したが、アンテナ８の表面に感度の指標となる絵柄を設けることは、必須の構成ではない。
なお、アンテナ８の表面に絵柄等、感度の指標となるものを設けない場合や、上述のように、開放部を開口部５１以外（例えば磁性体の薄肉部等）で構成し、アンテナ８が開放部に対応する位置にあるときでも外部に露出しないように構成した場合には、別途、アンテナ８の感度を目視で確認できる感度指標を文字板５の表面等に設けることが好ましい。
【００５７】
また、本実施形態においては、竜頭２を操作することによってアンテナ支持体７を回転させるように構成したが、アンテナ支持体７を回転させる構成はこれに限定されない。例えば、竜頭２とは別個にアンテナ支持体７を回転させるための操作部材（アンテナ移動手段）を設けてもよい。
【００５８】
また、本実施形態では、竜頭２が、アンテナ支持体７を回転させる機能を有する点のみについて説明したが、竜頭２の機能はこれに限定されない。
例えば、竜頭２を複数段階に引き出し可能に構成し、竜頭２が引き出された位置に応じて外装ケース１内の異なる歯車と噛み合い、アンテナ支持体７の回転操作の他に、各種の異なる操作が可能となるようにしてもよい。この場合には、例えば、竜頭２を１段階引き出した状態では竜頭２に設けられた歯車がアンテナ支持体７の軸側歯車７２と接続されてアンテナ支持体７を回転させることができ、竜頭２を２段階引き出した状態では竜頭２に設けられた歯車がモジュール４内の分針を回動させる輪列の一部に接続されて竜頭２を回転させるとその回転力が分針を回動させる輪列に伝達され、分針の位置調整、時刻合わせが可能となり、竜頭２を３段階引き出した状態では竜頭２に設けられた歯車がモジュール４内の日車に接続され、竜頭２を回転させると日車が回転して日付合わせが可能となる等の構成とする。
【００５９】
また、本実施形態では、ユーザが竜頭２を手動で回転操作することでアンテナ８を支持するアンテナ支持体７を回転させ、感度の調整を行う場合を例示したが、感度の調整は手動で行う倍に限定されない。例えば、アンテナ８を支持するアンテナ支持体７を回転させるモータ等を備え、操作釦３等によってアンテナ８の受信感度調整が必要な通信モードが選択されると、モータが動作することにより、選択された通信モードに適した位置にアンテナ８が配置されるまで自動的にアンテナ支持体７が回転移動するように構成してもよい。
【００６０】
また、本実施形態では、「ペアリングモード」で通信を行う際にはアンテナ８の３分の２程度を遮蔽部である磁性シート５２の下方に位置させ、「データ同期モード」で通信を行う際にはアンテナ８の３分の１程度を遮蔽部である磁性シート５２の下方に位置させ、「端末捜索モード／忘れ物防止モード」で通信を行う際にはアンテナ８の全体が開放部である開口部５１から露出する位置に配置させ、電波による通信を行いたくないときには、アンテナ８の全体を遮蔽部である磁性シート５２の下方に位置させるというように、アンテナ８の電波通信感度について４段階の調整を行う場合を例として説明したが、アンテナ８の電波通信感度の調整は４段階に限定されない。
例えば、遮蔽部とアンテナ８との位置関係を段階的に調整することにより、アンテナ８全体が遮蔽される状態、アンテナ８が一部遮蔽される状態、アンテナ８全体が遮蔽されない状態をさらに細かく調整できるようにしてもよい。この場合には、ユーザは、「ペアリングモード」で通信を行う際に、アンテナ８の３分の１程度が開口部５１から露出した状態ではペアリングが成立しなかった場合に、ペアリングが成立するまでアンテナ８の電波通信感度を段階的に上げていくことができる。
また、アンテナ８の電波通信感度の調整を電波による通信ができる状態とできない状態の２段階に調整する等、調整可能な段階を少なくしてもよい。
【００６１】
また、本実施形態では、アンテナ８と回路基板４１との電気的接続をアンテナ支持体７の回転軸７１を介して行う場合を例としたが、アンテナ８と回路基板４１とを電気的に接続する構成はこれに限定されない。
例えば、アンテナ支持体７の裏面に、アンテナ支持体７の外周縁に沿って、それぞれアンテナ８と接続された２つのリング状の端子部を互いに接触（干渉）しないように設け、このリング状の端子部と回路基板４１のアンテナ用の端子とのにスプリングコネクタ等を介在させる。そして、このコネクタがリング状の端子部に摺接することで、アンテナ８と回路基板４１とを電気的に接続するように構成してもよい。
【００６２】
また、本実施形態では、アンテナ８が円板状のアンテナ支持体を支持されている場合を例としたが、アンテナ支持体を設けることは必須の構成ではなく、例えば、アンテナ８をケース等に収納して、このケースをアンテナ移動手段によって移動させることで感度の調整を行ってもよい。
【００６３】
また、本実施形態では、アンテナ８が円板状のアンテナ支持体を支持されて、このアンテナ支持体を回転移動させることで感度の調整を行う場合を例示したが、アンテナ８の移動は回転移動に限定されない。
例えば、遮蔽部と開放部とを直線状に配置して、アンテナ８を直線的に移動させて、この遮蔽部及び開放部に対するアンテナ８の位置を変更し、遮蔽部により遮蔽されるアンテナ８の被遮蔽範囲を調整する構成としてもよい。
【００６４】
また、本実施形態においては、腕時計１００が指針を備えるアナログ式の腕時計である場合について説明したが、腕時計は、アナログ式に限定されない。例えば、液晶パネル等で構成された液晶表示部を備えるデジタル式の腕時計でもよいし、指針及び液晶表示部の双方を備える腕時計であってもよい。
【００６５】
また、本実施形態では、電波通信機器が腕時計１００である場合を例示したが、電波通信機器は腕時計に限定されない。
例えば、携帯電話機等の携帯端末装置、ＰＤＡ、歩数計、心拍計等、電波通信を行うことが可能に構成されている各種の電子機器に本発明を広く適用することが可能である。
【００６６】
以上本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
外部の機器との間で無線信号を介して通信するアンテナの感度を調整する感度調整装置であって、
前記アンテナを移動させるアンテナ移動手段と、
前記アンテナの移動範囲の一部を覆うように設けられ、電波の透過を妨げる電波遮蔽部材と、
を有し、
前記アンテナ移動手段により前記アンテナを移動させて、前記アンテナと前記電波遮蔽部材との位置関係を変更することにより、前記アンテナの電波送受信感度を調整することを特徴とする感度調整装置。
＜請求項２＞
前記アンテナの前記遮蔽部材により被覆されていない部分を露出する開口部が設けられていることを特徴とする請求項１に記載の感度調整装置。
＜請求項３＞
前記アンテナを支持する円板状のアンテナ支持体を備え、
前記アンテナ移動手段は、前記アンテナ支持体を、その円中心を回転中心として回転させることにより前記アンテナを移動させるものであることを特徴とする請求項１又は請求項２に記載の感度調整装置。
＜請求項４＞
請求項１から請求項３のいずれか一項に記載の感度調整装置と、
前記感度調整装置により通信の感度が調整されるアンテナと、
を備えていることを特徴とする電波通信機器。
【符号の説明】
【００６７】
１      外装ケース
２      竜頭
４      モジュール
５      文字板
７      アンテナ支持体
８      アンテナ
１０    感度調整装置
２５    支持体駆動歯車
４１    回路基板
５０    感度調整部
５１    開口部
５２    磁性シート
５３    電波規制部材
７１    回転軸
７２    軸側歯車
１００  腕時計
【図１】
0005935422.tif 000002
【図２】
0005935422.tif 000003
【図３】
0005935422.tif 000004
【図４】
0005935422.tif 000005
【図５】
0005935422.tif 000006
【図６】
0005935422.tif 000007